(57)【要約】【課題】簡便な操作で、心臓における複数の部位に関する解析結果を所望のレイアウトで表示させることが可能な医用処理装置の提供。【解決手段】本実施形態に係る医用処理装置２０は、付帯部と、表示制御部とを有する。付帯部は、医用データの解析により得られた心臓における複数の部位それぞれの解析結果に、部位の種類に関する情報を含む付帯情報を付帯させる。表示制御部は、前記付帯情報に基づいて、前記複数の部位それぞれの前記解析結果の表示位置を決定する。【選択図】      図４
2018015558.tif 000002
【特許請求の範囲】
【請求項１】
医用データの解析により得られた心臓における複数の部位それぞれの解析結果に、部位の種類に関する情報を含む付帯情報を付帯させる付帯部と、
前記付帯情報に基づいて、前記複数の部位それぞれの前記解析結果の表示位置を決定する表示制御部と、
を備えた医用処理装置。
【請求項２】
前記付帯部は、
前記複数の部位のうち第１の部位に対応する第１の解析結果に、前記第１の部位を特定する情報を含む第１の付帯情報を付帯させ、
前記複数の部位のうち第２の部位に対応する第２の解析結果に、前記第２の部位を特定する情報を含む第２の付帯情報を付帯させ、
前記表示制御部は、
前記第１の付帯情報に基づいて、表示部の画面における複数の区画のうちの第１の区画に前記第１の解析結果を表示させ、
前記第２の付帯情報に基づいて、前記複数の区画のうちの第２の区画に前記第２の解析結果を表示させる、
請求項１に記載の医用処理装置。
【請求項３】
前記解析結果は、解析対象の部位の外形を示す画像を含み、
前記付帯情報に基づいて、前記複数の部位それぞれに対応する前記画像をマージする画像処理部をさらに備える、
請求項１または２に記載の医用処理装置。
【請求項４】
前記複数の部位は、左心室、左心房、右心室、右心房を含む、
請求項１乃至３のうちいずれか一項に記載の医用処理装置。
【請求項５】
第１の時系列画像を解析することにより、前記第１の解析結果を取得し、前記第１の時系列画像と異なる第２の時系列画像を解析することにより、前記第２の解析結果を取得する解析部をさらに備えた、
請求項２に記載の医用処理装置。
【請求項６】
共通の時系列画像を解析することにより、前記第１の解析結果および前記第２の解析結果を取得する解析部をさらに備えた、
請求項２に記載の医用処理装置。
【請求項７】
前記複数の部位のうち操作者により選択された隣接する部位に対応する前記医用データを統合して解析することにより、統合解析結果を取得する解析部をさらに具備し、
前記付帯情報は、前記部位の種類の情報として、前記隣接する部位を統合した情報を含み、
前記表示制御部は、前記統合した情報に基づいて、前記統合解析結果の表示位置を決定する、
請求項１乃至４のうちいずれか一項に記載の医用処理装置。
【請求項８】
前記付帯情報は、前記部位の種類の情報として、前記部位に対応付けられ、前記医用データの収集に関するスキャン順序の情報を含み、
前記スキャン順序に従って収集された前記医用データを解析することにより、前記スキャン順序に従って前記解析結果を取得する解析部をさらに具備し、
前記表示制御部は、前記付帯情報における前記スキャン順序に基づいて、前記部位の解剖学的位置関係に沿った、前記解析結果の表示位置を決定する、
請求項１乃至４のうちいずれか一項に記載の医用処理装置。
【請求項９】
前記付帯情報は、心時相に関する情報を含む、
請求項１乃至８のうちいずれか一項に記載の医用処理装置。
【請求項１０】
前記表示制御部は、前記付帯情報に基づいて、前記複数の部位の前記解析結果を同期して表示させる、
請求項９に記載の医用処理装置。
【請求項１１】
前記付帯情報は、前記医用データの収集日時に関する情報を含む、
請求項１乃至１０のうちいずれか一項に記載の医用処理装置。
【請求項１２】
前記付帯情報は、前記医用データが収集されたストレスエコーのフェーズに関する情報を含む、
請求項１乃至１１のうちいずれか一項に記載の医用処理装置。
【請求項１３】
前記付帯情報は、前記部位のうち少なくとも一つに対する治療の経過に関する情報を含む、
請求項１乃至１２のうちいずれか一項に記載の医用処理装置。
【請求項１４】
前記付帯情報は、前記解析結果の画像態様に関する情報を含む、
請求項１乃至１３のうちいずれか一項に記載の医用処理装置。
【請求項１５】
前記付帯情報は、
前記医用データの収集日時に関する情報と前記医用データが収集されたストレスエコーのフェーズに関する情報と前記部位のうち少なくとも一つに対する治療の経過に関する情報と、前記解析結果の画像態様に関する情報とを含み、
前記表示制御部は、
前記種類および前記収集日時に基づいて決定した表示位置と、
前記種類および前記フェーズに基づいて決定した表示位置と、
前記種類および前記経過に基づいて決定した表示位置と、
前記種類および前記画像態様に基づいて決定した表示位置とを切り替える、
請求項１乃至１１のうちいずれか一項に記載の医用処理装置。
【請求項１６】
前記解析結果は、前記部位の運動を示す解析パラメータの値に応じた色相がマッピングされた、前記部位の外形を示す画像であって、
前記部位の解剖学的位置関係に基づいて前記マッピングされた画像をマージすることにより、合成画像を生成する画像処理部をさらに備える、
請求項１または２に記載の医用処理装置。
【請求項１７】
前記表示制御部は、一つの画面の表示領域内に前記表示位置を決定する、
請求項１乃至１６のうちいずれか一項に記載の医用処理装置。
【請求項１８】
前記表示制御部は、複数の画面各々の表示領域に前記表示位置を決定する、
請求項１乃至１６のうちいずれか一項に記載の医用処理装置。
【請求項１９】
前記複数の部位は、三尖弁と肺動脈弁と僧帽弁と大動脈弁と冠動脈とのうち少なくとも一つを含む、
請求項１乃至１７のうちいずれか一項に記載の医用処理装置。
【請求項２０】
前記画像処理部は、
前記複数の部位のうち操作者により指定された部位と、前記指定された部位に隣接する部位とを特定し、
前記特定された部位に対応する前記画像をマージする、
請求項３または請求項１６に記載の医用処理装置。
【請求項２１】
前記付帯情報は、前記部位に関する病名の情報を含み、
前記画像処理部は、
前記付帯情報に基づいて、前記複数の部位から、前記病名に関連する部位と、前記病名に関連する部位に隣接する部位とを特定し、
前記特定された部位に対応する前記画像をマージする、
請求項３または請求項１６に記載の医用処理装置。
【請求項２２】
前記付帯情報は、前記部位において計測された複数の計測値を含み、
前記画像処理部は、
前記付帯情報に基づいて、前記複数の計測値のうち基準範囲外の計測値に対応する部位と、前記基準範囲外の計測値に対応する部位に隣接する部位とを特定し、
前記特定された部位に対応する前記画像をマージする、
請求項３または請求項１６に記載の医用処理装置。
【請求項２３】
コンピュータに
医用データの解析により得られた心臓における複数の部位それぞれの解析結果に、部位の種類に関する情報を含む付帯情報を付帯し、
前記付帯情報に基づいて、前記複数の部位それぞれの前記解析結果の表示位置を決定すること、
を実現させる医用処理プログラム。
【発明の詳細な説明】
【技術分野】
【０００１】
本発明の実施形態は、医用処理装置および医用処理プログラムに関する。
【背景技術】
【０００２】
従来、超音波診断装置は、単一の心腔について局所的な壁運動を解析し、解析結果を表示する機能を有する。従来の超音波診断装置は、複数の心腔それぞれについて局所的な壁運動を解析し、それらの解析結果を統一的に表示する機能を有していない。
【先行技術文献】
【特許文献】
【０００３】
【特許文献１】特開２０１２−５５４８３号公報
【特許文献２】特開２０１４−１７１５５６号公報
【特許文献３】特開２００９−１０６５４８号公報
【発明の概要】
【発明が解決しようとする課題】
【０００４】
目的は、簡便な操作で、心臓における複数の部位に関する解析結果を所望のレイアウトで表示させることが可能な医用処理装置および医用処理プログラムを提供することにある。
【課題を解決するための手段】
【０００５】
本実施形態に係る医用処理装置は、付帯部と、表示制御部とを有する。付帯部は、医用データの解析により得られた心臓における複数の部位それぞれの解析結果に、部位の種類に関する情報を含む付帯情報を付帯させる。表示制御部は、前記付帯情報に基づいて、前記複数の部位それぞれの前記解析結果の表示位置を決定する。
【図面の簡単な説明】
【０００６】
【図１】図１は、本実施形態に係る超音波診断装置の構成を示す模式図である。
【図２】図２は、本実施形態における付帯機能に関する処理の流れの一例を示すフローチャートである。
【図３】図３は、本実施形態における付帯情報の一例を示す図である。
【図４】図４は、本実施形態において、表示制御機能に関する処理の流れの一例を示すフローチャートである。
【図５】図５は、本実施形態において、４腔の解析結果の表示例を示す図である。
【図６】図６は、本実施形態において、４腔の解析結果の他の表示例を示す図である。
【図７】図７は、本実施形態において、短軸断層像の比較に関する解析結果のレイアウトの一例を示す図である。
【図８】図８は、本実施形態において、３次元画像と２次元画像とが混在する解析結果のレイアウトの一例を示す図である。
【図９】図９は、本実施形態において、時間的な比較に関する解析結果のレイアウトの一例を示す図である。
【図１０】図１０は、本実施形態において、２腔の薬物負荷前後の比較に関する解析結果のレイアウトの一例を示す図である。
【図１１】図１１は、本実施形態において、２腔の治療前後比較に関する解析結果のレイアウトの一例を示す図である。
【図１２】図１２は、本実施形態において、２腔の異なる画像態様の比較に関する解析結果のレイアウトの一例を示す図である。
【図１３】図１３は、本実施形態において、２腔の異なる解析パラメータの比較に関する解析結果のレイアウトの一例を示す図である。
【図１４】図１４は、本実施形態において、画像態様が異なる解析結果のレイアウトの一例を示す図である。
【図１５】図１５は、本実施形態の第１の変形例において、４腔の解析結果を合成した合成画像の一例を示す図である。
【図１６】図１６は、本実施形態の第２の変形例において、４腔の解析結果を複数のタブとともに表示した表示例を示す図である。
【図１７】図１７は、本実施形態の第２の変形例において、解析結果とともに複数のレイアウト画像を表示した表示例を示す図である。
【図１８】図１８は、本実施形態の第３の変形例において、４腔の解析結果を合成した合成画像の比較表示の一例を示す図である。
【図１９】図１９は、本実施形態の第４の変形例において、４腔および４つの弁の解析結果の表示例を示す図である。
【図２０】図２０は、本実施形態の第４の変形例において、４腔および４つの弁の解析結果を合成した合成画像の一例を示す図である。
【図２１】図２１は、本実施形態の第５の変形例において、左心室と右心室とが選択された場合における統合解析結果ＬＲＶの一例を示す図である。
【図２２】図２２は、本実施形態の第９の変形例において、４腔の解析結果と冠動脈画像（形態情報）との表示例（タイル表示）を示す図である。
【図２３】図２３は、本実施形態の第９の変形例において、左心室の解析結果および右心室の解析結果に冠動脈の形態情報を合成した合成画像の一例を示す図である。
【発明を実施するための形態】
【０００７】
以下、図面を参照しながら本実施形態に係わる超音波診断装置を説明する。なお、以下の説明において、略同一の構成を有する構成要素については、同一符号を付し、重複説明は必要な場合にのみ行う。
【０００８】
図１は、本実施形態に係る超音波診断装置１の構成を示す模式図である。図１に示すように、超音波診断装置１は、超音波プローブ１１と、入力インタフェース回路（入力部）１３と、ディスプレイ（表示部）１５と、心電計１７と、装置本体１９とを有する。
【０００９】
超音波プローブ１１は、複数の圧電振動子、圧電振動子の超音波放射面側に設けられる整合層、圧電振動子の背面側に設けられるバッキング材等を有する。複数の圧電振動子各々は、後述する送受信回路２３から供給される駆動信号に応答して超音波を発生する。超音波プローブ１１は、例えば、互いに直交するアジマス方向およびエレベーション方向に沿って複数の圧電振動子を配列した２次元アレイプローブである。２次元アレイプローブは、例えば、２次元セクタプローブである。なお、超音波プローブ１１は、３次元走査が可能な２次元アレイプローブに限定されず、メカニカル４次元プローブであってもよい。また、超音波プローブ１１が２次元走査可能な１次元アレイプローブである場合、エレベーション方向に超音波プローブ１１を揺動させる操作者の操作により、３次元的なエコー信号が取得される。
【００１０】
入力インタフェース回路１３は、操作者からの各種指示・命令・情報・選択・設定を本超音波診断装置１に取り込む。入力インタフェース回路１３は、トラックボール、スイッチボタン、マウス、キーボード、操作面へ触れることで入力操作を行うタッチパッド、および表示画面とタッチパッドとが一体化されたタッチパネルディスプレイ等によって実現される。入力インタフェース回路１３は、操作者から受け取った入力操作を電気信号に変換する。なお、本明細書において入力インタフェース回路１３は、マウス、キーボードなどの物理的な操作部品を備えるものだけに限らない。例えば、本超音波診断装置１とは別体に設けられた外部の入力機器から入力操作に対応する電気信号を受け取り、受け取った電気信号を装置本体１９へ出力するような電気信号の処理回路も入力インタフェース回路１３の例に含まれる。
【００１１】
ディスプレイ１５は、後述する画像生成回路２９等により生成された各種画像を表示する。ディスプレイ１５は、各種画像の表示を実現する表示回路を有する。また、ディスプレイ１５は、操作者が各種設定要求を入力するためのグラフィカルユーザインタフェース（Ｇｒａｐｈｉｃａｌ  Ｕｓｅｒ  Ｉｎｔｅｒｆａｃｅ：ＧＵＩ）を表示する。なお、複数のディスプレイが、本超音波診断装置１の装置本体１９に接続されてもよい。
【００１２】
心電計１７は、通信インタフェース回路３１を介して装置本体１９に接続される。心電計１７は、超音波走査される被検体Ｐの生体信号として、被検体Ｐの心電波形（Ｅｌｅｃｔｒｏｃａｒｄｉｏｇｒａｍ：ＥＣＧ）を取得する。心電計１７は、取得した心電波形を装置本体１９に出力する。
【００１３】
装置本体１９は、送受信回路（送受信部）２３と、Ｂモードデータ生成回路（Ｂモードデータ生成部）２５と、ドプラデータ生成回路（ドプラデータ生成部）２７と、画像生成回路（画像生成部）２９と、通信インタフェース回路３１と、記憶回路（記憶部）３３と、制御回路（制御部）３５と、処理回路（処理部）３７とを有する。
【００１４】
送受信回路２３は、パルス発生器、送信遅延回路、パルサ回路を有し、超音波プローブ１１における複数の圧電振動子各々に駆動信号を供給する。パルス発生器は、所定のレート周波数ｆｒＨｚ（周期：１／ｆｒ秒）で、送信超音波を形成するためのレートパルスを繰り返し発生する。送信遅延回路は、送信超音波をビーム状に収束し、かつ送信指向性を決定するために必要な遅延時間を、各レートパルスに与える。パルサ回路は、レートパルスに基づくタイミングで、超音波プローブ１１の圧電振動子ごとに電圧パルスを駆動信号として印加する。これにより、超音波ビームが被検体Ｐに送信される。
【００１５】
送受信回路２３は、プリアンプ、アナログディジタル（Ａｎａｌｏｇ  ｔｏ  ｄｉｇｉｔａｌ（以下、Ａ／Ｄと呼ぶ））変換器、受信遅延回路、加算器をさらに有する。送受信回路２３は、各圧電振動子によって発生された受信エコー信号に基づいて、受信信号を発生する。プリアンプは、超音波プローブ１１を介して取り込まれた被検体Ｐからのエコー信号をチャンネル毎に増幅する。Ａ／Ｄ変換器は、増幅された受信エコー信号をディジタル信号に変換する。受信遅延回路は、ディジタル信号に変換された受信エコー信号に、受信指向性を決定するために必要な遅延時間を与える。加算器は、遅延時間が与えられた複数のエコー信号を加算する。この加算により、送受信回路２３は、受信指向性に応じた方向からの反射成分を強調した受信信号を生成する。この送信指向性と受信指向性とにより超音波送受信の総合的な指向性が決定される。この総合的な指向性により、超音波ビーム（いわゆる「超音波走査線」）が決まる。
【００１６】
なお、送受信回路２３は、例えば、心臓における複数の部位毎に設定されたスキャン順序に従って、複数の部位を超音波でそれぞれスキャンしてもよい。複数の部位は、例えば、左心室、左心房、右心室、右心房等の各種心腔、僧帽弁（Ｍｉｔｒａｌ  Ｖａｌｖｅ：ＭＶ）、大動脈弁（Ａｏｒｔｉｃ  Ｖａｌｖｅ：ＡＶ）、三尖弁（Ｔｒｉｃｕｓｐｉｄ  Ｖａｌｖｅ：ＴＶ）、肺動脈弁（Ｐｕｌｍｏｎａｒｙ  Ｖａｌｖｅ：ＰＶ）等の各種弁などである。以下、説明を簡単にするために、部位は、心腔として説明する。スキャン順序は、例えば、左心室、左心房、右心室、右心房の順にスキャンを行う順序であって、部位に対応付けられている。スキャン順序は、例えば、記憶回路３３に記憶される。送受信回路２３は、複数の部位に対応する、時系列に沿った受信信号を生成する。
【００１７】
Ｂモードデータ生成回路２５は、包絡線検波器、対数変換器を有し、受信信号に基づいてＢモードデータを生成する。包絡線検波器は、受信信号に対して包絡線検波を実行する。対数変換器は、包絡線検波された信号に対して対数変換を行い、包絡線検波された信号における弱い信号を相対的に強調する。Ｂモードデータ生成回路２５は、対数変換器により強調された信号に基づいて、各走査線における深さごとの信号値（Ｂモードデータと称される）を生成する。Ｂモードデータ生成回路２５は、２次元走査による２次元Ｂモードデータまたは３次元走査による受信信号に基づいて、３次元的なＢモードデータに対応するボリュームデータを生成する。以下、説明を理解しやすくするために、ボリュームデータは、被検体Ｐにおける複数の心腔各々に対する３次元的な超音波走査により、生成されるものとする。このとき、生成されたボリュームデータは、複数の心腔各々に対応する。複数の心腔は、４腔のうち少なくとも２つである。４腔は、左心房（Ｌｅｆｔ  Ａｔｒｉｕｍ：ＬＡ）、左心室（Ｌｅｆｔ  Ｖｅｎｔｒｉｃｕｌａｒ：ＬＶ）、右心房（Ｒｉｇｈｔ  Ａｔｒｉｕｍ：ＲＡ）右心室（Ｒｉｇｈｔ  Ｖｅｎｔｒｉｃｕｌａｒ：ＲＶ）である。なお、ボリュームデータは、被検体Ｐにおける心臓の４腔に対する超音波走査により、生成されてもよい。
【００１８】
ドプラデータ生成回路２７は、ミキサー、低域通過フィルタ（Ｌｏｗ  Ｐａｓｓ  Ｆｉｌｔｅｒ：以下、ＬＰＦと呼ぶ）等を有し、受信信号に基づいてドプラデータを生成する。ミキサーは、送信超音波の周波数ｆ０を有する基準信号を受信信号に掛け合わせ、ドプラ偏移周波数ｆｄの成分の信号と、（２ｆ０＋ｆｄ）の周波数成分を有する信号とを生成する。ＬＰＦは、ミキサーから出力された信号のうち、高い周波数成分（２ｆ０＋ｆｄ）の信号を取り除く。これにより、ドプラデータ生成回路２７は、受信信号のうちドプラ偏移周波数ｆｄの成分を有するドプラデータを生成する。
【００１９】
画像生成回路２９は、いずれも図示していないディジタルスキャンコンバータ（Ｄｉｇｉｔａｌ  Ｓｃａｎ  Ｃｏｎｖｅｒｔｅｒ：以下、ＤＳＣと呼ぶ）、画像メモリ等を有する。ＤＳＣは、Ｂモードデータおよびドプラデータからなる超音波スキャンの走査線信号列を、ビデオフォーマットの走査線信号列に変換する（スキャンコンバート）。画像生成回路２９は、スキャンコンバートされたＢモードデータおよびドプラデータに対して種々のパラメータの文字情報、メモリ等を合成し、超音波画像のデータを生成する。超音波画像のデータは表示用のデータである。超音波画像は医用画像の一例である。また、超音波画像のデータは、医用データの一例である。一方、Ｂモードデータ、ボリュームデータおよびドプラデータは、生データ（Ｒａｗ  Ｄａｔａ）とも呼ばれる。画像メモリは、フリーズ操作の入力直前の一連のフレームに対応する複数の超音波画像を保存する。画像メモリに記憶された複数の超音波画像は、シネ表示に用いられる。
【００２０】
通信インタフェース回路３１は、ネットワークを介して、医用画像保管装置などの外部装置と接続する。通信インタフェース回路３１は、被検体Ｐのボリュームデータ等を、医用画像保管装置から受信し、記憶回路３３に出力する。通信インタフェース回路３１は、画像生成回路２９、処理回路３７等から出力された各種データを、外部装置へ転送する。
【００２１】
記憶回路３３は、各種メモリ、ＨＤＤ（ハードディスクドライブ）、ＳＳＤ（ソリッドステートドライブ）、磁気ディスク（フロッピー（登録商標）ディスク、ハードディスクなど）、光ディスク（ＣＤ−ＲＯＭ、ＤＶＤなど）、半導体メモリなどにより構成される。記憶回路３３は、超音波送受信に関するプログラム、制御回路３５および処理回路３７で実行される各種処理に対応するプログラムなどを記憶する。記憶回路３３は、生データ、超音波画像データ、処理回路３７により生成・処理された各種データ、スキャン順序等を記憶する。
【００２２】
制御回路３５は、ハードウェア資源として、例えば、プロセッサとメモリを備える。制御回路３５は、本超音波診断装置１の中枢として機能する。具体的には、制御回路３５は、記憶回路３３に記憶されている制御プログラムを読み出してメモリ上に展開し、展開された制御プログラムに従って超音波診断装置１の各種回路を制御する。
【００２３】
処理回路３７は、ハードウェア資源として、例えば、プロセッサとメモリを備える。具体的には、処理回路３７は、記憶回路３３に記憶されているプログラムを読み出してメモリ上に展開し、展開されたプログラムに従って各種機能を実現する。
【００２４】
画像処理機能３７１を実現する処理回路３７は、各種画像処理に対応する画像処理プログラムを実行する。具体的には、処理回路３７は、ボリュームデータに対するレンダリング処理により、レンダリング画像を生成する。レンダリング画像は、サーフェスレンダリング画像やボリュームレンダリング画像などの３次元画像である。処理回路３７は、ボリュームデータに対する断面変換（Ｍｕｌｔｉ  ｐｌａｎａｒ  ｒｅｃｏｎｓｔｒｕｃｔｉｏｎ：ＭＰＲ）処理により、２次元画像としてのＭＰＲ画像を生成する。なお、ボリュームデータが複数の心腔を有する場合、処理回路３７は、閾値処理などの所定の手法により、ボリュームデータを、心腔各々のボリュームデータに分割する。このとき、処理回路３７は、分割されたボリュームデータに基づいて、心腔各々の３次元画像を生成する。画像処理機能３７１を実現する処理回路３７は、画像処理部に相当する。
【００２５】
解析機能３７３を実現する処理回路３７は、心腔各々に関する時系列に沿った医用画像（以下、医用画像群と呼ぶ）を解析することにより、解析結果を取得する。医用画像群は、例えば、時系列に沿った心腔の３次元画像または時系列に沿った心腔の２次元画像である。具体的には、処理回路３７は、心腔各々において所定の壁運動解析を医用画像群に適用することにより、心腔各々の壁運動を解析する。所定の壁運動解析とは、例えば、２次元的な壁運動追跡（Ｗａｌｌ  Ｍｏｔｉｏｎ  Ｔｒａｃｋｉｎｇ：ＷＭＴ）または３次元的なＷＭＴであるが、これに限定されない。解析機能３７３に関する解析プログラムの実行により、処理回路３７は、医用画像群のうち所定の心時相に対応する医用画像上に、心壁の内膜の輪郭を示す複数の構成点と心壁の外膜の輪郭を示す複数の構成点とを、初期輪郭として設定する。初期輪郭は、所定の画像処理により自動的に設定されてもよいし、入力インタフェース回路１３を介した操作者の指示により設定されてもよい。また、初期輪郭は、入力インタフェース回路１３を介した操作者の指示により、適宜調整可能である。次いで、解析機能３７３を実現する処理回路３７は、初期輪郭が設定された医用画像から時系列に沿って、医用画像群に含まれる他の医用画像における構成点の位置を追跡する。
【００２６】
解析機能３７３を実現する処理回路３７は、上記追跡の結果に基づいて、心腔の壁運動に関する各種解析パラメータの値を計算する。解析パラメータは、例えば、長軸ストレイン（Ｌｏｎｇｉｔｕｄｉｎａｌ  Ｓｔｒａｉｎ）等の各種ストレイン、心腔の内膜側壁厚増加率（ｒａｄｉａｌ  ｓｔｒａｉｎ）などの所定の閾値への到達時間（以下、ピーク到達時間と呼ぶ）などである。処理回路３７は、解析パラメータの値に応じた色相がマッピングされ、セグメント化されたサーフェスレンダリング画像、ＭＰＲ画像、ポーラーマップ等を生成する。セグメントとは、アメリカ心エコー図学会やアメリカ心臓協会が推奨する心壁の分割領域である。処理回路３７は、これらマッピングにより生成した画像を、心腔各々の壁運動の解析結果として取得する。また、処理回路３７は、例えば、複数のセグメント各々における解析パラメータの値の時間変化を示すグラフを、解析結果として生成してもよい。処理回路３７は、生成した解析結果を記憶回路３３に記憶させる。なお、スキャン順序に従って医用データが収集された場合、処理回路３７は、スキャン順序に従って医用データを解析することにより、スキャン順序に従って解析結果を取得する。解析機能３７３を実現する処理回路３７は、解析部に相当する。
【００２７】
上記説明において用いた「プロセッサ」という文言は、例えば、ＣＰＵ（Ｃｅｎｔｒａｌ  Ｐｒｏｃｅｓｓｉｎｇ  Ｕｎｉｔ）、ＧＰＵ（ｇｒａｐｈｉｃｓ  ｐｒｏｃｅｓｓｉｎｇ  ｕｎｉｔ）、或いは、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等の回路を意味する。
【００２８】
プロセッサは、記憶回路３３に保存されたプログラムを読み出して実行することで、各種機能を実現する。なお、記憶回路３３に各種プログラムを保存する代わりに、制御回路３５または処理回路３７におけるプロセッサの回路内に、各種プログラムを直接組み込むように構成しても構わない。この場合、プロセッサは、回路内に組み込まれた各種プログラムを読み出して実行することで、各種機能を実現する。
【００２９】
以上、本実施形態における超音波診断装置１の全体構成について説明した。本超音波診断装置における各種機能を医用処理装置で実現する場合には、医用処理装置２０は、図１において、点線の枠内の構成要素を有する。かかる構成のもと、本実施形態の超音波診断装置１および医用処理装置２０は、以下に説明する付帯機能３７５および表示制御機能３７７により、簡便な操作で、心腔の壁運動の解析結果を所望のレイアウトで表示させることができるように構成されている。以下、付帯機能３７５について説明し、次いで、表示制御機能３７７について説明する。
【００３０】
付帯機能３７５を実現する処理回路３７は、医用データの解析により得られた心臓における複数の部位それぞれの解析結果に、部位の種類に関する情報を含む付帯情報を付帯させる。例えば、処理回路３７は、心腔の壁運動解析に関する各種情報に基づいて、付帯情報を生成する。付帯情報は、解析結果の属性を示す情報であり、壁運動の解析時に入力・選択された情報などを有する。処理回路３７は、医用画像の解析により得られた複数の心腔それぞれの解析結果に、心腔の種類に関する情報を含む付帯情報を付帯させる。処理回路３７は、付帯情報を付帯した解析結果を、記憶回路３３に記憶させる。付帯機能３７５に関するプログラムの実行により付帯機能３７５を実現する処理回路３７は、付帯部に相当する。なお、スキャン順序に従って医用データが収集された場合、処理回路３７は、部位に対応付けられたスキャン順序の情報を部位の種類の情報として、付帯情報にスキャン順序を含ませる。このとき、部位の種類の設定は不要となる。
【００３１】
以下、本実施形態に係る付帯機能３７５に関する処理について、フローチャートを用いて詳細に説明する。図２は、付帯機能３７５に関する処理の流れの一例を示すフローチャートである。図２において付帯機能３７５に対応する処理は、ステップＳａ４とステップＳａ５との処理である。
【００３２】
複数の心腔各々に対する１心拍以上の期間に亘る超音波の送受信により、時系列に沿った医用画像が、生成される（ステップＳａ１）。解析機能３７３の実行に先立って、患者ＩＤ、心腔の種類、画像態様、解析パラメータ名などが設定される。心腔の種類とは、解析対象の心腔名である。画像態様とは、解析パラメータの値に応じた色相がマッピングされる画像の種別であり、サーフェスレンダリング画像、ＭＰＲ画像、ポーラーマップ等である。
【００３３】
解析機能３７３を実現する処理回路３７により、時系列に沿った医用画像のうち所定の心時相の医用画像において、初期輪郭を示す複数の構成点が設定される（ステップＳａ２）。ここで、所定の心時相とは、拡張末期などである。複数の構成点が複数の医用画像に亘って追跡され、設定された解析パラメータの値が計算される。
【００３４】
解析機能３７３を実現する処理回路３７は、設定された画像態様と計算された解析パラメータの値とに基づいて、心腔の壁運動の解析結果を取得する（ステップＳａ３）。解析結果は、心腔ごとに取得される。例えば、解析対象が第１の心腔と第２の心腔との２種の心腔である場合、ステップＳａ３で取得される解析結果は、第１の心腔に関する第１の解析結果と、第２の心腔に関する第２の解析結果とになる。すなわち、複数の部位のうち第１の心腔に関する時系列に沿った第１の医用画像に対する解析により第１の解析結果が取得され、複数の部位のうち第２の心腔に関する時系列に沿った第２の医用画像に対する解析により、第２の解析結果が取得される。第１の心腔と第２の心腔とを有する時系列に沿った医用画像（ボリュームデータ）が収集された場合、このボリュームデータに対する解析により、第１の解析結果および第２の解析結果が取得される。
【００３５】
心腔の壁運動解析に関する各種情報を用いて、解析結果ごとに付帯される付帯情報が生成される（ステップＳａ４）。付帯情報は、解析結果の属性を示す情報として、例えば、心腔の種類に関する情報、心時相に関する情報、医用画像の収集日時に関する情報、医用画像が収集されたストレスエコーのフェーズに関する情報、複数の心腔のうち少なくとも一つに対する治療の経過に関する情報、解析結果の画像態様に関する情報などを含む。例えば、解析対象が第１の心腔と第２の心腔との２種の心腔である場合、第１の解析結果に付帯される第１の付帯情報と、第２の解析結果に付帯される第２の付帯情報とが生成される。
【００３６】
図３は、処理回路３７により生成される付帯情報の一例を示す図である。図３に示すように、付帯情報に含まれる属性は、患者ＩＤ、心腔の種類、収集日時、ストレスエコーのフェーズ、治療の経過、画像態様、解析パラメータ名等である。収集日時とは、解析対象のボリュームデータが収集された日時である。ストレスエコーのフェーズとは、ストレスエコーの実施時においてボリュームデータが収集された時点であり、例えば、負荷前、負荷中、負荷後である。治療の経過とは、例えば、心臓再同期療法（Ｃａｒｄｉａｃ  Ｒｅｓｙｎｃｈｒｏｎｉｚａｔｉｏｎ  Ｔｈｅｒａｐｙ：ＣＲＴ）による心腔の治療の前後を示す情報である。図３における心腔の種類の欄は、一般的には、部位の種類となる。
【００３７】
生成された付帯情報が、解析結果に付帯され、解析結果とともに記憶回路３３に記憶される（ステップＳａ５）。例えば、付帯機能３７５を実現する処理回路３７は、医用データの解析により得られた心臓における複数の部位それぞれの解析結果に、部位の種類に関する情報を含む付帯情報を付帯させる。具体的には、処理回路３７は、複数の部位のうち第１の部位に対応する第１の解析結果に、第１の部位を特定する情報を含む第１の付帯情報を付帯させ、複数の部位のうち第２の部位に対応する第２の解析結果に、第２の部位を特定する情報を含む第２の付帯情報を付帯させる。図３における付帯情報の各種属性は、例えば、ＤＩＣＯＭ（Ｄｉｇｉｔａｌ  Ｉｍａｇｉｎｇ  ａｎｄ  Ｃｏｍｍｕｎｉｃａｔｉｏｎ  ｉｎ  Ｍｅｄｅｃｉｎｅ）のプライベートタグ、スタンダードタグなどにより、管理されてもよい。なお、処理回路３７は、付帯情報に基づいて、作成された付帯情報を統一的に管理する管理テーブルを生成してもよい。管理テーブルは、付帯情報に含まれる各種属性により、解析結果に付帯された付帯情報を紐付する。
【００３８】
表示制御機能３７７を実現する処理回路３７は、付帯情報に基づいて、複数の部位それぞれの複数の解析結果の表示位置を決定する。例えば、処理回路３７は、第１の付帯情報に基づいて、ディスプレイ１５の画面における複数の区画のうちの第１の区画に前記第１の解析結果を表示させ、第２の付帯情報に基づいて、複数の区画のうちの第２の区画に第２の解析結果を表示させる。具体的には、処理回路３７は、付帯情報における心腔の種類と複数の心腔の解剖学的位置関係に基づいて、ディスプレイ１５の表示領域に表示される解析結果の表示位置（区画）を決定する。このとき、解析結果の表示位置は、心腔の解剖学的位置に対応する。なお、処理回路３７は、操作者により解析結果が選択された順番、解析結果の保存日付、ボリュームデータの保存日付、ボリュームデータの収集日時のうち少なくとも一つをさらに用いて、表示位置を決定してもよい。また、処理回路３７は、付帯情報におけるストレスエコーにおける負荷前後、治療前後等の属性をさらに用いて、時間（時相）が異なる解析結果を、表示領域の左右に並列させるように表示位置を決定してもよい。なお、処理回路３７は、複数のディスプレイ各々の表示領域内に、表示位置を決定してもよい。例えば、格子状に４つのディスプレイが隣接されている場合、処理回路３７は、付帯情報に基づいて、ディスプレイ各々の表示領域にどの解析結果を配置させるかを決定する。なお、処理回路３７は、付帯情報にスキャン順序が含まれている場合、付帯情報におけるスキャン順序に基づいて、部位の解剖学的位置関係に応じた、解析結果の表示位置を決定する。このとき、解析結果は、スキャン順序すなわち解析結果の生成順に従って、心時相を同期させて表示位置に順次表示される。
【００３９】
以下、本実施形態に係る表示制御機能３７７に関する処理について、フローチャートを用いて詳細に説明する。図４は、表示制御機能３７７に関する処理の流れの一例を示すフローチャートである。
【００４０】
操作者の指示により、解析結果比較モードが起動される（ステップＳｂ１）。解析結果比較モードとは、複数の解析結果を比較するためにディスプレイ１５の表示領域に複数の解析結果を表示させるモードである。ステップＳｂ１の処理において、表示制御機能３７７に対応するプログラムが記憶回路３３から読み出され、実行される。このとき、処理回路３７は、表示制御部として機能する。
【００４１】
ディスプレイ１５の表示領域における解析結果のレイアウトが、付帯情報に基づいて決定される（ステップＳｂ２）。解析結果のレイアウトは、例えば、どの解析結果を表示領域のどの位置にどれくらいの大きさで配置させるのかを示すひな形に相当する。レイアウトの決定に関する付帯情報の属性は、図３に示すように、解析結果に関する解析パラメータ、画像態様、時間情報、空間情報、患者情報などである。具体的には、処理回路３７は、複数の解析結果各々における付帯情報に含まれる複数の属性を用いて、心腔の解剖学的位置関係による空間的な比較、時間的な比較、ストレスエコーのフェーズの比較、治療前後の比較、異なる画像態様の比較、異なる解析パラメータの比較のなどの解析結果の比較の目的に応じて、複数のレイアウトを決定する。複数のレイアウトは、解析結果の各種比較に有用な解析結果のあらゆる組み合わせに対応する。なお、レイアウトは、一つの心腔において収集日時が異なる複数の解析結果の配置、一つの心腔において画像態様が異なる複数の解析結果の配置などであってもよい。また、レイアウトは、付帯情報と管理テーブルとを用いて決定されてもよい。
【００４２】
表示制御機能３７７を実現する処理回路３７は、決定されたレイアウトに従って解析結果を配置したサムネイル画像（以下、レイアウト画像と呼ぶ）を生成し、ディスプレイ１５にレイアウト画像を一覧表示させる（ステップＳｂ３）。なお、レイアウト画像のコンテンツは、解析結果のサムネイルに限定されず、解析結果の属性を示す文字情報であってもよい。また、処理回路３７は、レイアウト画像の代わりに、各種比較に関する解析結果の属性を入力する為のダイアログ・ボックスなどのユーザインタフェースをディスプレイ１５に表示させてもよい。このとき、操作者は、例えば、複数の解析結果の画像態様として、２次元画像と３次元画像とのうち少なくとも一方を含む画像態様を入力することができる。
【００４３】
レイアウト画像が選択される（ステップＳｂ４）と、表示制御機能３７７を実現する処理回路３７は、選択されたレイアウト画像に対応するレイアウトを決定する。なお、レイアウト画像の選択の代わりに各種比較に関する解析結果の属性が入力されると、処理回路３７は、複数のレイアウトから、入力された属性に合致するレイアウトを決定してもよい。処理回路３７は、決定したレイアウトで解析結果を表示させる（ステップＳｂ５）。処理回路３７は、付帯情報における心時相に基づいて、複数の心腔の解析結果を同期して動画表示させる。このとき、画像態様がサーフェスレンダリング画像である場合、処理回路３７は、操作者の指示に応じて解析結果を回転させるためにディスプレイ１５を制御してもよい。以下、ステップＳｂ５における複数の解析結果の表示例、レイアウトについて説明する。
【００４４】
図５は、解析対象の心腔が４腔であって、画像態様がサーフェスレンダリング画像である場合の解析結果の表示例（タイル表示）を示す図である。図５に示す５ＲＡは、右心房の解析パラメータの値に応じた色相がマッピングされた、右心房のサーフェスレンダリング画像を示している。図５に示す５ＲＶは、右心室の解析パラメータの値に応じた色相がマッピングされた、右心室のサーフェスレンダリング画像を示している。図５に示す５ＬＡは、左心房の解析パラメータの値に応じた色相がマッピングされた、左心房のレンダリング画像を示している。図５に示す５ＬＶは、左心室の解析パラメータの値に応じた色相がマッピングされた、左心室のレンダリング画像を示している。解析結果を示す４つのレンダリング画像には、セグメントの境界を示す曲線が表示される。解析結果５ＲＶ、５ＲＡ、５ＬＶ、５ＬＡの表示位置は、解剖学的な位置関係を保っている。なお、解析結果５ＲＶ、５ＲＡ、５ＬＶ、５ＬＡの表示位置は、図５に限定されず、例えば、超音波プローブの位置と対応付けられていてもよい。このとき、図５における表示領域５ＤＡの左上の欄にはＲＶの解析結果が表示され、表示領域５ＤＡの左下の欄にはＲＡの解析結果が表示され、表示領域５ＤＡの真ん中上段の欄にはＬＶの解析結果が表示され、表示領域５ＤＡの真ん中下段の欄にはＬＡの解析結果が表示される。解析結果５ＲＶ、５ＲＡ、５ＬＶ、５ＬＡは、付帯情報における心時相に基づいて、同期して動画像として再生される。
【００４５】
図５におけるグラフ５Ｇ１とグラフ５Ｇ２とは、セグメントごとの解析パラメータの値の時間変化を示している。図５における５ＰＴは、解析結果５ＲＶ、５ＲＡ、５ＬＶ、５ＬＡの心時相を示すバーである。バー５ＰＴは、解析結果の動画表示における解析結果の心時相に応じて、グラフ５Ｇ１とグラフ５Ｇ２と心電波形５ＥＣＧの時間軸に沿って移動する。また、操作者の指示によりバー５ＰＴがグラフまたは心電波形の横軸に沿って移動されると、付帯情報における心時相と移動後のバーが示す心時相とに基づいて、解析結果５ＲＶ、５ＲＡ、５ＬＶ、５ＬＡは、移動後のバーの位置に対応する解析結果として表示される。
【００４６】
図６は、解析対象の心腔が４腔であって、画像態様がポーラーマップである場合の解析結果の表示例（タイル表示）を示す図である。図６と図５との相違点は、画像態様が３次元画像とポーラーマップとで異なることにある。ポーラーマップには、セグメントの分割を示す曲線および直線が表示される。
【００４７】
図７は、解析対象の心腔が４腔であって、画像態様が短軸断層像（２次元画像）である場合における、解析結果のレイアウトの一例を示す図である。図７に示すＳＡＸ−Ｂは、解析パラメータの値に応じた色相がマッピングされた心基部（ｂａｓｅ）の短軸断層像（ＳＡＸ）の表示位置を示している。また、図７に示すＳＡＸ−Ｍは、解析パラメータの値に応じた色相がマッピングされた中央部（ｍｉｄ  ｃａｖｉｔｙ）の短軸断層像の表示位置を示している。図７に示すＳＡＸ−Ａは、解析パラメータの値に応じた色相がマッピングされた心尖部（ａｐｉｃａｌ）の短軸断層像の表示位置を示している。図７に示すＳＡＸ−Ａの解析結果には、例えば図３の（ａ）に記載の付帯情報が付帯される。図７における表示領域７ＤＡの空白の領域７ＢＫには、解析結果ＳＡＸ−Ｂ、ＳＡＸ−Ａ、ＳＡＸＭにおける解析パラメータの値の経時変化を示すグラフ、心電波形、解析結果に関する短軸断層像の断面位置を示すレンダリング画像などが表示される。
【００４８】
図８は、解析対象の心腔が４腔であって、解析結果の画像態様として３次元画像と２次元画像とが混在している場合の解析結果のレイアウトの一例を示す図である。図８のＲＶ３Ｄは、解析パラメータの値に応じた色相がマッピングされた右心室のレンダリング画像の表示位置を示している。図８のＲＡ２Ｄは、解析パラメータの値に応じた色相がマッピングされた右心房の断面画像の表示位置を示している。図８のＬＶ３Ｄは、解析パラメータの値に応じた色相がマッピングされた左心室のレンダリング画像の表示位置を示している。図８のＬＡ２Ｄは、解析パラメータの値に応じた色相がマッピングされた左心房の断面画像の表示位置を示している。
【００４９】
図５乃至図８は、解析結果の空間的な比較を行う際に利用される。図５乃至図８は、解析結果の空間的な比較に関する解析結果のレイアウトの一例であり、これに限定されない。例えば、他の心腔、他の画像態様等の組み合わせなどにより、解析結果の空間的な比較に有益なレイアウトが、付帯情報、管理テーブル等に基づいて決定されてもよい。また、一つの表示領域に表示される解析結果の数は、４つに限定されない。
【００５０】
図９は、一つの心腔（左心室ＬＶ）において、収集日時が異なる４つの解析結果のレイアウトの一例を示す図である。このとき、解析結果のレイアウトは、心腔の壁運動の解析に用いられる医用画像の収集日時に基づいて決定される。図９は、解析結果の時間的な比較を行う際に利用される。
【００５１】
図１０は、２つの心腔（左心室ＬＶと左心房ＬＡ）において、ストレスエコーのフェーズ（薬物負荷の前後）の比較のための解析結果のレイアウトの一例を示す図である。図１０に示すように、左心室ＬＶに関する解析結果の表示位置は、表示領域１０ＤＡの下段に決定される。左心房ＬＡに関する解析結果の表示位置は、表示領域１０ＤＡの上段に決定される。薬物負荷前に係る解析結果の表示位置は、表示領域１０ＤＡの左側に決定される。薬物負荷後に係る解析結果の表示位置は、表示領域１０ＤＡの右側に決定される。これにより、解析結果のレイアウトは、図１０に示すような配列となる。なお、左心室ＬＶなどの一つの心腔に対して、ストレスエコーの４つのフェーズ（負荷前、負荷中の２時相、負荷後など）に対応する４つの解析結果がタイル表示されてもよい。
【００５２】
図１１は、２つの心腔（左心室ＬＶと右心室ＲＶ）において、ＣＲＴの治療前後の比較のための解析結果のレイアウトの一例を示す図である。図１１に示すように、左心室ＬＶに関する解析結果の表示位置は、表示領域１１ＤＡの右側に決定される。右心室ＲＶに関する解析結果の表示位置は、表示領域１１ＤＡの左側に決定される。ＣＲＴ治療前に関する解析結果の表示位置は、表示領域１１ＤＡの上段に決定される。ＣＲＴ治療後に関する解析結果の表示位置は、表示領域１１ＤＡの下段に決定される。これにより、解析結果のレイアウトは、図１１に示すような配列となる。
【００５３】
図１２は、２つの心腔（左心室ＬＶと左心房ＬＡ）において、異なる画像態様の比較のための解析結果のレイアウトの一例を示す図である。図１２に示すように、左心室ＬＶに関する解析結果の表示位置は、表示領域１２ＤＡの下段に決定される。左心房ＬＡに関する解析結果の表示位置は、表示領域１２ＤＡの上段に決定される。画像態様としてサーフェスレンダリング画像を用いた解析結果の表示位置は、表示領域１２ＤＡの左側に決定される。画像態様としてポーラーマップを用いた解析結果の表示位置は、表示領域１２ＤＡの右側に決定される。例えば、図１２の右下の解析結果には、図３の（ｂ）に示す付帯情報が付帯される。これにより、解析結果のレイアウトは、図１２に示すような配列となる。なお、画像態様の組み合わせは、レンダリング画像とポーラーマップとに限定されず、他の画像態様の組み合わせであってもよい。
【００５４】
図１３は、２つの心腔（左心室ＬＶと左心房ＬＡ）において、異なる解析パラメータの比較のための解析結果のレイアウトの一例を示す図である。図１３に示すように、左心室ＬＶに関する解析結果の表示位置は、表示領域１３ＤＡの下段に決定される。左心房ＬＡに関する解析結果の表示位置は、表示領域１３ＤＡの上段に決定される。長軸ストレインを示す解析結果の表示位置は、表示領域１３ＤＡの左側に決定される。ピーク到達時間を示す解析結果の表示位置は、表示領域１３ＤＡの右側に決定される。例えば、図１３の右上の解析結果には、図３の（ｃ）に示す付帯情報が付帯される。これにより、解析結果のレイアウトは、図１３に示すような配列となる。
【００５５】
図１４は、一つの心腔（左心室ＬＶ）において、画像態様が異なる４つの解析結果のレイアウトの一例を示す図である。図１４におけるＬＶ  ２Ｄ  ４ｃｈＶｉｅｗ（心尖４腔断面画像）、ＬＶ  ２Ｄ  ３ｃｈＶｉｅｗ（心尖部左室長軸断面画像）、ＬＶ  ２Ｄ  ２ｃｈＶｉｅｗ（心尖部２腔断面画像）は、左心室ＬＶに対する基本３断面に対応する解析結果の表示位置を示している。図１４のＬＶ  ３Ｄは、図５の４ＬＶに対応するような左心室の３次元的な解析結果であって、例えば、基本３断面に対応する断面位置が重畳される。
【００５６】
なお、図５乃至図１４に示す解析結果のレイアウトは、一例であり、これらに限定されない。図５乃至図１４のサムネイルは、レイアウト画像に対応する。レイアウト画像の更なる選択が入力されると（ステップＳｂ６のＹｅｓ）、ステップＳｂ５の処理が実行される。解析結果比較モードが終了されるまで、解析結果が表示される（ステップＳｂ７）。
【００５７】
以上に述べた構成によれば、以下の効果を得ることができる。  
本実施形態における超音波診断装置１および医用処理装置２０によれば、医用画像の解析により得られた複数の心腔それぞれの解析結果に心腔の種類に関する情報を含む付帯情報を付帯させ、付帯情報に基づいて解析結果の表示位置を決定することができる。また、本実施形態によれば、一つのディスプレイ１５の画面の表示領域内または複数のディスプレイの画面の表示領域内に表示位置を決定することができる。
【００５８】
例えば、解析結果が第１の心腔に関する第１の解析結果と第２の心腔に関する第２の解析結果である場合、第１の時系列画像（第１のボリュームデータ）を解析することにより第１の解析結果を取得し、第１の時系列画像とは異なる第２の時系列画像（第２のボリュームデータ）を解析することにより第２の解析結果を取得することができる。あるいは、第１の心腔と第２の心腔とに関する共通の時系列画像（ボリュームデータ）を解析することにより、第１の解析結果および第２の解析結果を取得することができる。これにより、ボリュームデータの取得に応じて解析結果を心腔ごとに解析することができる。次いで、第１の解析結果に第１の付帯情報を付帯させ、かつ第２の解析結果に第２の付帯情報を付帯させることにより、第１の付帯情報に基づいて第１の解析結果の表示位置を決定し、第２の付帯情報に基づいて第２の解析結果の表示位置を決定することができる。これにより、心腔の種類すなわち複数の心腔の解剖学的位置関係に応じて、複数の解析結果をディスプレイ１５の画面の表示領域に配置して表示することができる。
【００５９】
また、本実施形態によれば、付帯情報に心時相の情報を含めることができ、付帯情報に基づいて複数の心腔の解析結果を同期して表示させることができる。これにより、操作者の指示に従って複数の解析結果を同期して動画表示することができ、診断効率を向上させることができる。
【００６０】
また、本実施形態によれば、付帯情報が部位の種類の情報として部位に対応付けられたスキャン順序の情報を付帯情報に含ませ、スキャン順序に従って収集された前記医用データを解析することによりスキャン順序に従って前記解析結果を取得し、付帯情報におけるスキャン順序に基づいて、部位の解剖学的位置関係に沿った、解析結果の表示位置を決定することができる。これにより、部位の種類の設定（入力）が不要となり、解析結果比較モードの利便性が向上し、診断効率を向上させることができる。
【００６１】
以上のことから、本実施形態によれば、解析結果の付帯情報を用いた統一的な処理、すなわち解析結果を統一的に表示する機能に係る処理により、簡便な操作で、心腔の壁運動の解析結果を所望のレイアウトで表示させることができる。すなわち、壁運動の解析結果の表示において、解剖学的位置関係が異なり他の属性が同一な解析結果を選択するための入力、および時間関係が異なり他の属性が同一な解析結果を選択するための入力などの各種入力が不要となり、解析結果の比較表示に対する設定の煩雑さおよび負担を低減させることができる。加えて、複雑な入力なしに、２次元的な解析結果と３次元的な解析結果とを混在して表示することができる。これらのことから、本実施形態によれば、局所的な壁運動解析が簡便となり、診断効率を向上させることができる。
【００６２】
（第１の変形例）  
上述の実施形態との相違は、解析結果が解析対象の部位の外形を示す画像を含む場合、画像処理機能３７１を実現する処理回路３７により、付帯情報に基づいて、複数の部位それぞれに対応するこれら画像がマージされることにある。具体的には、心腔の運動を示す解析パラメータの値に応じた色相がマッピングされた、心腔の外形を示す画像（例えばサーフェスレンダリング画像）が解析結果である場合、心腔の解剖学的位置関係に基づいて複数の心腔の解析結果をマージすることにより、合成画像が生成される。
【００６３】
画像処理機能３７１を実現する処理回路３７は、心腔の解剖学的位置関係に基づいて複数の心腔の解析結果をマージすることにより、合成画像を生成する。合成画像の生成は、例えば操作者の指示に応答して実行される。具体的には、処理回路３７は、複数の心腔にそれぞれ対応する複数のサーフェスレンダリング画像の複数のセグメントの各々の座標を取得する。処理回路３７は、セグメントの座標に基づいて、心腔の運動を示す解析パラメータの値に応じた色相がマッピングされた複数のサーフェスレンダリング画像を位置合わせする。複数のサーフェスレンダリング画像の位置合わせは、操作者の指示により適宜調整可能である。なお、複数の心腔を含むボリュームデータが生成されていた場合、処理回路３７は、このボリュームデータにおける心腔各々の位置に基づいて、複数のレンダリング画像を位置合わせしてもよい。処理回路３７は、生成した合成画像をディスプレイ１５に表示させる。処理回路３７は、操作者の指示に応じて、合成画像を任意の回転軸周りに回転させるようディスプレイ１５を制御してもよい。
【００６４】
また、処理回路３７は、付帯情報に基づいて、複数の解析結果に対応する複数のグラフを合成してもよい。具体的には、処理回路３７は、心筋全体の平均的なストレインを示すグローバルストレインの時間変化曲線と、心腔各々の体積の時間変化曲線とを、心時相を一致させて合成することにより、合成グラフを生成する。
【００６５】
付帯機能３７５を実現する処理回路３７は、合成画像の生成後において、合成画像に関する複数の解析結果に付帯した付帯情報を合成することにより、合成付帯情報を生成する。処理回路３７は、合成画像に合成付帯情報を付帯させ、記憶回路３３に記憶させる。
【００６６】
図１５は、図５に示すような４腔の解析結果において、サーフェスレンダリング画像を合成した合成画像１５ＣＩの一例を示す図である。図１５に示すように、４腔に対応する４つのサーフェスレンダリング画像は位置合わせされて合成され、合成画像１５ＣＩとして表示される。このとき、合成画像１５ＣＩは操作者の指示により動画表示される。また、合成画像１５ＣＩの隣に合成グラフが表示されてもよい。なお、合成画像１５ＣＩとともに各種グラフ、心電波形が表示されてもよい。
【００６７】
また、図１０、図１１、図１３に示すように２腔の解析結果に対して合成画像が生成されてもよい。このとき、図１０において、表示領域の左半分にはＬＶとＬＡとを合成した薬物負荷前の合成画像が表示され、表示領域の右半分にはＬＶとＬＡとを合成した薬物負荷後の合成画像が表示される。また、図１１において、表示領域の下半分にはＲＶとＬＶとを合成したＣＲＴ治療前の合成画像が表示され、表示領域の上半分にはＲＶとＬＶとを合成したＣＲＴ治療後の合成画像が表示される。図１３において、表示領域の左半分にはＬＶとＬＡとを合成した長軸ストレインの合成画像が表示され、表示領域の右半分にはＬＶとＬＡとを合成したピーク到達時間の合成画像が表示される。
【００６８】
以上に述べた構成によれば、以下の効果を得ることができる。  
本変形例における超音波診断装置１および医用処理装置２０によれば、心腔の運動を示す解析パラメータの値に応じた色相がマッピングされた心腔の外形を示す画像（例えばサーフェスレンダリング画像）が解析結果である場合、心腔の解剖学的位置関係に基づいて複数の心腔の解析結果をマージすることにより、解析結果としての合成画像を生成することができる。これにより、操作者の指示に応じて合成画像を任意の軸周りに回転させて表示することができるため、操作者は、複数の心腔の解析結果を全体的に把握することができる。また、複数の解析結果に対応する複数のグラフをマージすることにより、合成グラフを生成することができる。これらのことから、本変形例によれば、簡便な操作で、心腔の壁運動の解析による複数の解析結果の全体像を表示することができ、操作者の負担を軽減させ、診断効率を向上させることができる。
【００６９】
（第２の変形例）  
上述した実施形態との相違は、心腔の種類および収集日時に基づいて決定した表示位置と、心腔の種類およびストレスエコーのフェーズに基づいて決定した表示位置と、心腔の種類および治療の経過に基づいて決定した表示位置と、心腔の種類および解析結果の画像態様に基づいて決定した表示位置とを切り替え可能に、ディスプレイ１５を制御することにある。
【００７０】
表示制御機能３７７を実現する処理回路３７は、心腔の種類および収集日時に基づいて決定した表示位置と、心腔の種類およびストレスエコーのフェーズに基づいて決定した表示位置と、心腔の種類および治療の経過に基づいて決定した表示位置と、心腔の種類および解析結果の画像態様に基づいて決定した表示位置とを切り替える。すなわち、処理回路３７は、上記切り替えを実行可能に、ディスプレイ１５を制御する。具体的には、処理回路３７は、付帯情報に基づいて決定された解析結果のレイアウトの種別に対応する複数のタブを生成する。複数のタブは、例えば、図５乃至図８、図１４に示すように複数の心腔に対応する解析結果を解剖学的位置関係に従ってタイル表示させるＴｉｌｅと、図９乃至図１３に示すように複数の心腔における解析結果の時間比較を表示させるＣｏｍｐと、解析結果の合成画像を表示させるＭｅｒｇｅなどである。また、複数のタブは、初期輪郭の再設定などにより複数の心腔各々のボリュームデータに対して壁運動解析を再度実行するための画面を表示させるタブ（再解析タブと呼ぶ）を含んでいてもよい。なお、再解析タブを表示する代わりに、表示された解析結果に対するダブルクリック操作に応答して、壁運動解析を再度実行するための画面が表示されてもよい。また、上記タブに該当する解析結果の表示位置の組み合わせ（レイアウト）が多数存在する場合、処理回路３７は、付帯情報に含まれる各種属性の組み合わせに応じて、複数のタブを階層的に関連付けて生成してもよい。このとき、処理回路３７は、レイアウトを、付帯情報に含まれる各種属性に応じて階層的に管理する。
【００７１】
処理回路３７は、タブの選択に応じて解析結果の表示位置を切り替えて、複数の解析結果をディスプレイ１５に表示させる。すなわち、処理回路３７は、タブの選択前の解析結果のレイアウトを、選択されたタブに対応する解析結果のレイアウトに切り替えるように、ディスプレイ１５を制御する。
【００７２】
図１６は、Ｔｉｌｅのタブが選択された状態であって、タイル表示された４腔の解析結果およびグラフを、複数のタブとともに表示した表示例を示す図である。図１６のタブＬＶ、ＬＡ、ＲＶ、ＲＡは、壁運動解析の再度実行に関する画面を表示させるタブを示している。例えば、図１６において、Ｍｅｒｇｅのタブが選択されると、例えば、図１５に示すような合成画像が表示される。このとき、Ｍｅｒｇｅのタブが強調表示され、Ｔｉｌｅのタブは通常表示となる。
【００７３】
なお、処理回路３７は、タブを生成するかわりに、解析結果とともに複数のレイアウト画像を表示してもよい。このとき、選択されたレイアウト画像に対応する解析結果が、ディスプレイ１５に表示される。
【００７４】
図１７は、解析結果とともに複数のレイアウト画像を表示した表示例を示す図である。図１７におけるＬＶ  Ｃｏｍｐは、例えば、図９に示すような左心室ＬＶの解析結果の時間比較に対応するレイアウト画像である。また、図１７におけるＬＶ−ＬＡ  Ｃｏｍｐは、例えば、図１０、図１２、図１３に示すような左心室ＬＶと左心房ＬＡとの解析結果の時間比較に対応するレイアウト画像である。図１７におけるＬＶ  ３Ｄ−２Ｄは、例えば、図１４に示すような左心室ＬＶの解析結果に関する３次元画像と２次元画像との混在表示に対応するレイアウト画像である。
【００７５】
以上に述べた構成によれば、以下の効果を得ることができる。  
本変形例における超音波診断装置１および医用処理装置２０によれば、医用画像の収集日時に関する情報と、医用画像が収集されたストレスエコーのフェーズに関する情報と、複数の心腔のうち少なくとも一つに対する治療の経過に関する情報と、解析結果の画像態様に関する情報とを付帯情報にさらに含めることができる。これにより、心腔の種類および収集日時に基づいて決定した表示位置と、心腔の種類およびストレスエコーのフェーズに基づいて決定した表示位置と、心腔の種類および治療の経過に基づいて決定した表示位置と、心腔の種類および解析結果の画像態様に基づいて決定した表示位置とを切り替え可能に、ディスプレイ１５を制御することができる。例えば、複数の解析結果とともに表示されたタブまたはレイアウト画像の選択に応じて、解析結果の表示形態を切り替えることができる。これにより、タブまたはレイアウト画像の選択という簡便な操作で、心腔の壁運動の解析による複数の解析結果を表示することができる。また、解析結果の表示時において再度心腔の壁運動解析を実行することができる。これにより、解析結果の表示時において、簡便に壁運動解析を再度実行することができる。
【００７６】
以上のことから、本変形例によれば、壁運動の解析結果を所望のレイアウトで表示させるときの操作者の負担を軽減させ、診断効率を向上させる事ができる。
【００７７】
（第３の変形例）  
本変形例は、合成画像に対して第２の変形例の処理を適用することにある。本変形例における処理回路３７で実行される各処理は、第２の変形例における解析結果を合成画像に適宜読み替えることにより理解できるため、詳細な説明は省略する。
【００７８】
図１８は、４腔の解析結果を合成した合成画像（ａｎａｔｏｍｉｃａｌ−ｍｅｒｇｅ）の比較表示の一例を示す図である。図１８に示すように、タブ１とＣｏｍｐのタブとＭｅｒｇｅのタブとがハイライトされる。Ｔｉｌｅのタブが選択されると、非マージの解析結果がタイル表示される。また、タブ１は、４腔を合成した合成画像の比較表示を示すタブである。タブ２は、例えば、左心室と左心房とを合成した左室左房合成画像の比較表示を示すタブである。タブ３は、例えば、左心室と右心室とを合成した左右心室合成画像の比較表示を示すタブである。タブ４は、例えば、左心室と左心房と右心室とを合成した３腔合成画像の比較表示を示すタブである。図１８に示すように、タブの選択に応じて、マージ後の合成画像に関するタイル表示、比較表示などが切り替えられる。
【００７９】
例えば、処理回路３７は、４腔のうち２腔を合成した２腔合成画像（左室左房合成画像、左右心室合成画像）を生成する。次いで、処理回路３７は、操作者の指示に応じて、２腔合成画像に関して負荷前後、治療前後などの比較表示を実施するために、ディスプレイ１５を制御する。本変形例に係るタイル表示、比較表示は、各種合成画像に付帯しているため、本実施形態におけるタイル表示、比較表示とは異なり、合成画像のカテゴリーに内包される入れ子構成となる。
【００８０】
以上に述べた構成によれば、以下の効果を得ることができる。  
本変形例における超音波診断装置１および医用処理装置２０によれば、合成画像に関して、本実施形態および第２の変形例の効果をそれぞれ得ることができる。すなわち、簡便な操作で、複数の心腔に関する複数の解析結果を合成した合成画像のタイル表示、比較表示を表示することができるため、壁運動解析がさらに容易となり、操作者の負担が軽減され、解析結果の診断効率を向上させることができる。
【００８１】
（第４の変形例）  
上述の実施形態および変形例との相違は、解析対象として、心臓における複数の部位が、三尖弁と肺動脈弁と僧帽弁と大動脈弁とのうち少なくとも一つの弁を含むことにある。
【００８２】
付帯機能３７５を実現する処理回路３７は、解析機能３７３の実行に先立って、患者ＩＤ、解析対象の弁の種類、画像態様、解析パラメータ名などを設定する。弁の種類は、例えば弁名であって、入力インタフェース回路１３を介した操作者の指示により入力される。処理回路３７は、設定された弁の情報を、付帯情報に含める。弁の種類は、図３における付帯情報において、心腔の種類の欄に対応する部位の種類の欄に記載される。
【００８３】
解析機能３７３を実現する処理回路３７は、設定された弁各々において所定の弁運動解析を医用画像群に適用することにより、弁各々の運動を解析する。所定の弁運動解析とは、例えば、２次元的なＷＭＴまたは３次元的なＷＭＴである。なお、所定の弁運動解析は、ＷＭＴに限定されず、例えば、組織ドップライメージング（Ｔｉｓｓｕｅ  Ｄｏｐｐｌｅｒ  ｉｍａｇｉｎｇ）等の各種手法が用いられてもよい。
【００８４】
解析機能３７３に関する解析プログラムの実行により、処理回路３７は、例えば、医用画像群のうち所定の心時相に対応する医用画像上に、弁の内側の輪郭を示す複数の構成点と弁の外側の輪郭を示す複数の構成点とを、初期輪郭として設定する。処理回路３７は、初期輪郭が設定された医用画像から時系列に沿って、医用画像群に含まれる他の医用画像における構成点の位置を追跡する。処理回路３７は、上記追跡の結果に基づいて、弁の運動に関する各種解析パラメータの値を計算する。解析パラメータは、例えば僧帽弁では、拡張期後退速度（Ｄｉａｓｔｏｌｉｃ  Ｄｅｓｃｅｎｔ  Ｒａｔｅ）、収縮期前方運動（Ｓｙｓｔｏｌｉｃ  Ａｎｔｅｒｉｏｒ  Ｍｏｖｅｍｅｎｔ）などである。処理回路３７は、解析パラメータの値に応じた色相がマッピングされたサーフェスレンダリング画像、ＭＰＲ画像等を、弁運動の解析結果を示す画像として生成する。
【００８５】
表示制御機能３７７を実現する処理回路３７は、付帯情報における部位の種類（心腔の種類および弁の種類）と複数の部位（心腔および弁）の解剖学的位置関係に基づいて、ディスプレイ１５の表示領域に表示される解析結果の表示位置（区画）を、レイアウトとして決定する。具体的には、レイアウトにおける解析結果の表示位置は、心腔および弁の解剖学的位置に対応する。処理回路３７は、決定したレイアウトに従って、弁の解析結果を表示する。
【００８６】
図１９は、解析対象が４つの心腔および４つの弁である場合であって、画像態様がサーフェスレンダリング画像である場合の解析結果の表示例（タイル表示）を示す図である。なお、弁の数は、４つに限定されない。図１９に示す１９ＭＶは、僧帽弁の解析パラメータの値に応じた色相がマッピングされた、僧帽弁のサーフェスレンダリング画像を示している。図１９に示す１９ＡＶは、大動脈弁の解析パラメータの値に応じた色相がマッピングされた、大動脈弁のレンダリング画像を示している。図１９に示す１９ＰＶは、肺動脈弁の解析パラメータの値に応じた色相がマッピングされた、肺動脈弁のレンダリング画像を示している。図１９に示す１９ＴＶは、三尖弁の解析パラメータの値に応じた色相がマッピングされた、三尖弁のレンダリング画像を示している。図１９は、図５で示すにおける４腔の解析結果の表示例に、４つの弁の解析結果を、４腔と４つの弁との解剖学的位置関係に従って付加したレイアウトとなっている。
【００８７】
なお、本変形例の応用例として、本変形例に第１の変形例の処理を適用することも可能である。例えば、図１９に示す表示例がディスプレイ１５に表示されている場合、画像処理機能３７１を実現する処理回路３７は、例えば、操作者の指示に応答して合成画像を生成する。
【００８８】
図２０は、図１９に示すような４腔および４つの弁の解析結果を示すサーフェスレンダリング画像を合成した合成画像の一例を示す図である。図２０に示すように、４腔（左心室ＬＶ、右心室ＲＶ、左心房ＬＡ、右心房ＲＡ）および４つの弁（僧帽弁ＭＶ、大動脈弁ＡＶ、肺動脈弁ＰＶ、三尖弁ＴＶ）に対応する８つの解析結果の画像は、同一の心時相において位置合わせされる。この位置合わせにより心時相ごとに生成された合成画像が、ディスプレイ１５に表示される。図２０における４腔および４つの弁の間には間隔があいているが、４腔および４つの弁は解剖学的位置関係に従ってそれぞれ隣接していてもよい。このとき、４腔および４つの弁各々の透明度（または不透明度）、輝度値等は、例えば、合成画像の下端に設けれたスクロールバーに対する操作者の指示により、調整されてもよい。図２０では、一例として４つの弁が記載されているが、表示される弁の数は、４に限定されない。
【００８９】
以上に述べた構成によれば、以下の効果を得ることができる。  
本変形例における超音波診断装置１および医用処理装置２０によれば、複数の部位における三尖弁と肺動脈弁と僧帽弁と大動脈弁とのうち少なくとも一つの弁の解析結果を、付帯情報に基づく解剖学的な位置関係に従って、心腔の解析結果とともにディスプレイ１５に表示することができる。また、本変形例によれば、４腔および４つの弁の透明度および輝度値を調整可能に、合成画像を表示することができる。
【００９０】
以上のことから、本変形例によれば、解析結果に付帯された付帯情報を用いた統一的な処理、すなわち解析結果を統一的に表示する機能に係る処理により、簡便な操作で、心臓における複数の心腔および複数の弁を含む複数の部位の解析結果を、解剖学的位置関係を維持して表示させることができる。これにより、本変形例によれば、心腔の局所的な壁運動解析の診断および弁運動解析の診断が簡便となり、診断効率を向上させることができる。
【００９１】
（第５の変形例）  
上述の実施形態および変形例との相違は、複数の部位のうち操作者により選択された隣接する部位に対応する医用データを統合して解析することにより統合解析結果を取得し、隣接する部位を統合した情報を含む付帯情報に基づいて、統合解析結果の表示位置を決定することにある。
【００９２】
入力インタフェース回路１３は、操作者の選択指示により、複数の部位のうち隣接する部位（以下、隣接部位と呼ぶ）を入力する。隣接部位の入力は、複数の部位において、部位のグルーピングに相当する。選択指示の入力は、例えば、図４のフローチャートのステップＳｂ１の処理以前であれば、いずれの時点であってもよい。例えば、心室中隔欠損や単心室等の奇形などを診断するために左心室と右心室とを統合した解析結果を操作者が所望する場合、複数の部位のうち左心室と右心室とが選択される。また、例えば、僧帽弁に関する弁膜症等を診断するために、左心室と左心房とを統合した解析結果を操作者が所望する場合、複数の部位のうち左心室と左心房とが選択される。なお、部位の選択は、上記説明に限定されず、操作者の所望に応じて、任意に選択可能である。
【００９３】
付帯機能３７５を実現する処理回路３７は、付帯情報に、隣接する部位を統合した情報（以下、部位統合情報と呼ぶ）を含ませる。左心室と右心室とが選択された場合、図３の付帯情報における心腔の種類の欄は、例えば、両心室となる。また、左心室と左心房とが選択された場合、図３の付帯情報における心腔の種類の欄は、例えば、左系心腔となる。
【００９４】
解析機能３７３を実現する処理回路３７は、隣接部位に対応する医用画像群において、同一の心時相の医用画像を、一つの医用データに統合する。処理回路３７は、隣接部位に関して、初期輪郭を設定する。処理回路３７は、統合された医用データを初期輪郭を用いて解析することにより、統合解析結果を取得する。例えば、左心室と右心室とが選択された場合、左心室と右心室とを統合した両心室全体に対する解析結果が統合解析結果として生成される。また、例えば、左心室と左心房とが選択された場合、左心室と左心房とを統合した左系心腔全体に対する解析結果が統合解析結果として生成される。
【００９５】
表示制御機能３７７を実現する処理回路３７は、付帯情報における部位統合情報に基づいて、ディスプレイ１５において、統合解析結果の表示位置（区画）を決定する。処理回路３７は、統合解析結果を、決定した表示位置に表示させる。
【００９６】
図２１は、左心室と右心室とが選択された場合における統合解析結果ＬＲＶの一例を示す図である。図２１に示すように、操作者により左心室と右心室とが選択された場合、左心室と右心室とを統合した両心室全体に対する統合解析結果ＬＲＶが表示される。図２１では、統合解析結果ＬＲＶ以外に右心房ＲＡの解析結果、左心房ＬＡの解析結果等が示されているが、統合解析結果ＬＲＶのみが表示されてもよい。また、統合されて解析される部位は、図２１に示すように２つに限定されない。例えば、隣接部位は、左心室と僧帽弁と大動脈弁とのように心腔と弁などであってもよい。
【００９７】
以上に述べた構成によれば、以下の効果を得ることができる。  
本変形例における超音波診断装置１および医用処理装置２０によれば、複数の部位のうち操作者により選択された隣接する部位に対応する医用データを統合して解析することにより統合解析結果を取得し、隣接する部位を統合した情報を含む付帯情報に基づいて、統合解析結果の表示位置を決定することができる。これにより、本変形例によれば、心臓の奇形に限らず操作者の所望に応じた部位の選択により選択された部位を、統合して解析することができる。
【００９８】
以上のことから、本変形例によれば、複数の部位のうち少なくとも一つに奇形があったとしても、簡便な操作で、解剖学的位置関係を維持して、統合解析結果を表示させることができる。これにより、本変形例によれば、心臓の複数の部位における運動解析の診断等が簡便となり、診断効率を向上させることができる。
【００９９】
（第６の変形例）  
上述の実施形態および変形例との相違は、複数の部位のうち操作者により指定された部位と、指定された部位に隣接する部位とを特定し、特定された部位に対応する解析結果を示す画像をマージすることにある。
【０１００】
入力インタフェース回路１３は、操作者の指示により、複数の部位のうち一つの部位を指定する。操作者による部位の指定の入力は、例えば、図４のフローチャートのステップＳｂ１の処理以前であれば、いずれの時点であってもよい。
【０１０１】
画像処理機能３７１を実現する処理回路３７は、指定された部位（以下、指定部位と呼ぶ）と、指定部位に隣接する部位とを特定する。処理回路３７は、特定された部位に対応する解析結果を示す画像をマージすることにより合成画像を生成する。処理回路３７は、合成画像をディスプレイ１５に表示させる。
【０１０２】
例えば左心室が指定された場合、合成画像には、左心室の解析結果と、右心室の解析結果と、僧帽弁の解析結果と、大動脈弁の解析結果とが含まれる。このとき、合成画像は、例えば、図２１におけるＬＲＶに、僧帽弁の解析結果と大動脈弁の解析結果とが合成された画像となる。
【０１０３】
以上に述べた構成によれば、以下の効果を得ることができる。  
本変形例における超音波診断装置１および医用処理装置２０によれば、複数の部位のうち操作者により指定された部位と、指定された部位に隣接する部位とを特定し、特定された部位に対応する解析結果を示す画像をマージすることができる。これにより、本変形例によれば、操作者が注目する部位（以下注目部位と呼ぶ）の解析結果と、注目部位に隣接する部位の解析結果とを、マージしてディスプレイ１５に表示することができる。以上のことから、本変形例によれば、注目部位を中心とした運動解析の診断等が簡便となり、診断効率を向上させることができる。
【０１０４】
（第７の変形例）  
上述の実施形態および変形例との相違は、付帯情報が病名に関する情報を含むことにより、付帯情報に基づいて、複数の部位から、病名に関連する部位と、病名に関連する部位に隣接する部位とが特定され、特定された部位に対応する解析結果を示す画像がマージされることにある。
【０１０５】
入力インタフェース回路１３は、操作者の指示により、病名を入力する。病名の入力は、例えば、図２のフローチャートにおいて、ステップＳａ５の処理以前であれば、いずれの時点であってもよい。
【０１０６】
付帯機能３７５を実現する処理回路３７は、入力された病名の情報を付帯情報に含める。処理回路３７は、病名に関連する部位と、病名に関連する部位に隣接する部位とを関連付ける情報（以下、病名関連部位情報と呼ぶ）を、付帯情報に組み込む。病名の情報および病名関連部位情報は、例えば、図３における付帯情報において、新たな属性として付加される。
【０１０７】
表示制御機能３７７を実現する処理回路３７は、解析結果比較モードの起動に応答して、例えばダイアログボックスに病名を表示するように、ディスプレイ１５を制御する。入力インタフェース回路１３を介して病名が指定されると、処理回路３７は、付帯情報に基づいて、複数の部位から、病名に関連する部位と、病名に関連する部位に隣接する部位とを特定する。処理回路３７は、特定した部位に対応した解析結果を示す画像をマージする。なお、本変形例において、ステップＳｂ１の処理前に病名が入力された場合、特定された部位に関する医用データを統合して、第５の変形例のように、統合解析結果が取得されてもよい。
【０１０８】
例えば、病名が心室中隔欠損症である場合、入力インタフェース回路１３を介して病名が指定されると、表示制御機能３７７を実現する処理回路３７は、左心室と右心室とを特定する。次いで、処理回路３７は、特定された左心室の解析結果を示す画像と、特定された右心室の解析結果を示す画像とを、同一の心時相において位置合わせすることにより、合成画像を生成する。合成画像は、例えば、図２１におけるＬＲＶに対応する。
【０１０９】
以上に述べた構成によれば、以下の効果を得ることができる。  
本変形例における超音波診断装置１および医用処理装置２０によれば、付帯情報が病名に関する情報を含むことにより、付帯情報に基づいて、複数の部位から、病名に関連する部位と、病名に関連する部位に隣接する部位とを特定し、特定された部位に対応する解析結果を示す画像をマージすることができる。これにより、本変形例によれば、心臓に関する病名に応じて特定された部位の解析結果を、マージしてディスプレイ１５に表示することができる。以上のことから、本変形例によれば、心臓の病名に対する運動解析の診断等が簡便となり、診断効率を向上させることができる。
【０１１０】
（第８の変形例）  
上述の実施形態および変形例との相違は、付帯情報が部位において計測された複数の計測値を含むことにより、付帯情報に基づいて、複数の部位から、複数の計測値のうち基準範囲外の計測値に対応する部位と、基準範囲外の計測値に対応する部位に隣接する部位とを特定し、特定された部位に対応する解析結果を示す画像がマージされることにある。
【０１１１】
入力インタフェース回路１３は、操作者の指示により、心エコー検査における計測項目において、超音波画像における心臓の複数の部位に対して複数の計測を入力する。複数の計測は、例えば、各種弁の弁口面積、各種心腔の径、各種心腔の壁厚、ドプラデータにおける各種血流速度波形等である。
【０１１２】
記憶回路３３は、複数の計測による複数の計測値各々に対する基準範囲を記憶する。基準範囲は、例えば、計測された計測値が正常と判定される範囲に相当し、複数の計測各々に対して予め設定される。
【０１１３】
付帯機能３７５を実現する処理回路３７は、計測された計測値および計測項目の名称を、計測された部位に対応する付帯情報に含める。計測値は、例えば、図３における付帯情報において、新たな属性として付加される。この付帯情報により、計測値と部位とが対応付けられる。
【０１１４】
画像処理機能３７１を実現する処理回路３７は、複数の計測値のうち基準範囲外の計測値を特定する。処理回路３７は、付帯情報に基づいて、特定された計測値に対応する部位と、特定された計測値に対応する部位に隣接する部位を特定する。処理回路３７は、特定された部位（以下、特定部位と呼ぶ）に対応する解析結果を示す画像をマージすることにより合成画像を生成する。処理回路３７は、合成画像をディスプレイ１５に表示させる。
【０１１５】
例えば、基準範囲外の計測値に対応する計測項目が大動脈弁の弁口面積であって、かつこの弁口面積が基準範囲外である場合、画像処理機能３７１を実現する処理回路３７は、付帯情報に基づいて、複数の部位のうち大動脈弁を特定する。次いで、処理回路３７は、大動脈弁に隣接する部位として、左心室と左心房とを特定する。処理回路３７は、大動脈弁の解析結果を示す画像と、左心室の解析結果を示す画像と、左心房の解析結果を示す画像とをマージすることにより、合成画像を生成する。処理回路３７は、合成画像をディスプレイ１５に表示させる。なお、本変形例において、ステップＳｂ１の処理以前に基準範囲外の計測値が特定された場合、特定部位に関する医用データを統合して、第５の変形例のように、統合解析結果が取得されてもよい。
【０１１６】
以上に述べた構成によれば、以下の効果を得ることができる。  
本変形例における超音波診断装置１および医用処理装置２０によれば、付帯情報が部位において計測された複数の計測値を含むことにより、付帯情報に基づいて複数の計測値のうち基準範囲外の計測値に対応する部位と、基準範囲外の計測値に対応する部位に隣接する部位とを特定し、特定された部位に対応する解析結果を示す画像をマージすることができる。これにより、本変形例によれば、基準範囲外の計測値に対応する部位の解析結果とこの部位に隣接する部位の解析結果とをマージして、ディスプレイ１５に表示することができる。以上のことから、本変形例によれば、心臓における計測値に対する運動解析の診断等が簡便となり、診断効率を向上させることができる。
【０１１７】
（第９の変形例）  
上述の実施形態および変形例との相違は、本超音波診断装置１とは異なる他のモダリティ（Ｘ線診断装置、Ｘ線コンピュータ断層撮影装置、磁気共鳴イメージング装置、核医学診断装置等）により収集された心臓の部位の医用データ（以下、他の医用データと呼ぶ）の表示位置を付帯情報に基づいて決定し、本実施形態および第４の変形例等で示した解析結果とともに、他の医用データの画像をディスプレイ１５に表示することにある。以下、説明を簡単にするために、他の医用データは、冠動脈画像のデータであるものとする。なお、他の医用データは、冠動脈の医用データに限定されず、心臓の他の部位、例えば、乳頭筋、腱索、刺激伝導系の形態情報を示す任意のデータであってもよい。また、他の医用データに加えてまたは他の医用データの代わりに、他の医用データの解析結果（以下、他の解析結果と呼ぶ）が用いられてもよい。他の解析結果は、例えば、血流予備量比（Ｆｒａｃｔｉｏｎａｌ  Ｆｌｏｗ  Ｒｅｓｅｒｖｅ：ＦＦＲ）である。なお、他の解析結果は、ＦＦＲに限定されず、心筋シンチグラフィー等の心臓の機能情報を示す任意のデータであってもよい。
【０１１８】
通信インタフェース回路３１は、ネットワークを介して他のモダリティまたは画像保管装置から、冠動脈データを受信する。なお、通信インタフェース回路３１は、ネットワークを介して他のモダリティまたは画像保管装置から、被検体Ｐの心臓に関するＦＦＲを受信してもよい。なお、ＦＦＲなどの解析パラメータは、解析機能３７３を実現する処理回路３７により、冠動脈データなどの他の医用データを用いて解析されてもよい。
【０１１９】
付帯機能３７５を実現する処理回路３７は、患者ＩＤ、解析対象の冠動脈の種類、画像態様、解析パラメータ名などを設定する。冠動脈の種類は、例えば冠動脈名であって、入力インタフェース回路１３を介した操作者の入力、または冠動脈データに関するタグ情報などにより設定される。処理回路３７は、設定された冠動脈の情報を、付帯情報に含める。冠動脈名とは、例えば、右冠動脈（Ｒｉｇｈｔ  Ｃｏｒｏｎａｒｙ  Ａｒｔｅｒｙ：ＲＣＡ）、左冠動脈（Ｌｅｆｔ  Ｃｏｒｏｎａｒｙ  Ａｒｔｅｒｙ：ＬＣＡ）などである。
【０１２０】
表示制御機能３７７を実現する処理回路３７は、付帯情報の部位の種類における冠動脈名に対応する部位と解析結果に関する部位との解剖学的位置関係に基づいて、ディスプレイ１５の表示領域に表示される解析結果の表示位置（区画）を、レイアウトとして決定する。具体的には、レイアウトにおける解析結果の表示位置は、冠動脈の解剖学的位置に対応する。処理回路３７は、決定したレイアウトに従って、冠動脈の形態画像、冠動脈の解析結果等を、本実施形態および第４の変形例等で示した解析結果とともに表示する。
【０１２１】
図２２は、解析対象が４つの心腔である場合であって、かつ画像態様がサーフェスレンダリング画像である場合において、４腔の解析結果と冠動脈画像（形態情報）との表示例（タイル表示）を示す図である。図２２に示すＲＣＡは、右冠動脈の画像である。図２２に示すＬＣＡは、左冠動脈の画像である。右冠動脈の画像および左冠動脈の画像は、表示制御機能３７７を実現する処理回路３７により、右心房の解析結果ＲＡ、右心室の解析結果２２ＲＶ、左心房の解析結果ＬＡ、左心室の解析結果２２ＬＶにおける心時相に同期されて表示される。なお、右冠動脈の画像ＲＣＡの代わりに、ＦＦＲの値に応じた色相が右冠動脈に沿ってマッピングされた右冠動脈のサーフェスレンダリング画像（機能情報）であってもよい。また、左冠動脈の画像ＬＣＡの代わりに、ＦＦＲの値に応じた色相が左冠動脈に沿ってマッピングされた左冠動脈のサーフェスレンダリング画像（機能情報）であってもよい。図２２は、４腔と冠動脈との解剖学的位置関係に従って、図５で示す４腔の解析結果に、冠動脈の形態情報を付加したレイアウトとなっている。
【０１２２】
なお、本変形例の応用例として、本変形例に第１の変形例の処理を適用することも可能である。例えば、図２２に示す表示例がディスプレイ１５に表示されている場合、画像処理機能３７１を実現する処理回路３７は、例えば、操作者の指示に応答して合成画像を生成する。
【０１２３】
図２３は、図２２に示すような左心室２２ＬＶの解析結果および右心室２２ＲＶの解析結果に冠動脈の形態情報を合成した合成画像の一例を示す図である。図２３に示すように、左心室の解析結果２３ＬＶと左冠動脈ＬＣＡの画像、および右心室の解析結果２３ＲＶと右冠動脈ＲＣＡの画像は、同一の心時相においてそれぞれ位置合わせされる。この位置合わせにより心時相ごとに生成された合成画像が、ディスプレイ１５に表示される。このとき、左心室の解析結果２３ＬＶ、左冠動脈ＬＣＡの画像、右心室の解析結果２３ＲＶおよび右冠動脈ＲＣＡの画像各々の透明度、輝度値等は、図２３における合成画像２３Ｒ、２３Ｌの下端にそれぞれ設けられたスクロールバーＳＢＲおよびＳＢＬに対する操作者の指示により、調整される。
【０１２４】
以上に述べた構成によれば、以下の効果を得ることができる。  
本変形例における超音波診断装置１および医用処理装置２０によれば、他のモダリティにより収集された心臓の他の医用データの表示位置を付帯情報に基づいて決定し、本実施形態および第４の変形例等で示した解析結果とともに、他の医用データの画像をディスプレイ１５に表示することができる。また、本変形例によれば、操作者が所望する透明度および輝度値で、４つの弁を合成した合成画像を表示することができる。
【０１２５】
以上のことから、本変形例によれば、解析結果に付帯された付帯情報を用いた統一的な処理、すなわち解析結果を統一的に表示する機能に係る処理により、簡便な操作で、心臓における複数の部位の解析結果と、他の部位の形態情報または機能情報とともに、解剖学的位置関係を維持して表示させることができる。これにより、本変形例によれば、他の部位の形態情報または機能情報を加味することにより、例えば、心腔の局所的な壁運動解析の診断が簡便となり、診断効率を向上させることができる。
【０１２６】
また、本実施形態の変形例として、本超音波診断装置１の技術的思想を医用処理装置２０で実現する場合には、図２に示すフローチャートにおけるステップＳａ１の処理は、「記憶回路３３から時系列に沿った医用画像を読み出し」となる。なお、ステップＳａ１の処理は、「通信インタフェース回路３１を介して、超音波診断装置１または医用画像保管装置から時系列に沿った医用画像を取得」という処理であってもよい。また、上述した医用画像は、Ｘ線コンピュータ断層撮影装置、磁気共鳴イメージング装置などの他のモダリティにより収集された画像であってもよい。加えて、解析結果は、他のモダリティ等により実施された解析結果であってもよい。
【０１２７】
加えて、本実施形態における画像処理機能３７１、解析機能３７３、付帯機能３７５、表示制御機能３７７は、当該機能を実行するプログラム（医用処理プログラム）をワークステーション等のコンピュータにインストールし、これらをメモリ上で展開することによっても医用処理方法として実現することができる。このとき、医用処理プログラムは、コンピュータに、医用画像の解析により得られた複数の心腔それぞれの解析結果に、心腔の種類に関する情報を含む付帯情報を付帯し、付帯情報に基づいて解析結果の表示位置を決定すること、を実行させる。また、コンピュータに当該手法を実行させることのできるプログラムは、磁気ディスク、光ディスク、半導体メモリなどの各種可搬型記憶媒体に格納して頒布することも可能である。
【０１２８】
以上述べた実施形態および少なくとも一つの変形例等の超音波診断装置１および医用処理装置２０によれば、簡便な操作で、心臓における複数の部位に関する解析結果を所望のレイアウトで表示させることが可能となる。
【０１２９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３０】
１…超音波診断装置、１１…超音波プローブ、１３…入力インタフェース回路、１５…ディスプレイ、１７…心電計、１９…装置本体、２０…医用処理装置、２３…送受信回路、２５…Ｂモードデータ生成回路、２７…ドプラデータ生成回路、２９…画像生成回路、３１…通信インタフェース回路、３３…記憶回路、３５…制御回路、３７…処理回路、３７１…画像処理機能、３７３…解析機能、３７５…付帯機能、３７７…表示制御機能。
【図１】
2018015558.tif 000003
【図２】
2018015558.tif 000004
【図３】
2018015558.tif 000005
【図４】
2018015558.tif 000006
【図５】
2018015558.tif 000007
【図６】
2018015558.tif 000008
【図７】
2018015558.tif 000009
【図８】
2018015558.tif 000010
【図９】
2018015558.tif 000011
【図１０】
2018015558.tif 000012
【図１１】
2018015558.tif 000013
【図１２】
2018015558.tif 000014
【図１３】
2018015558.tif 000015
【図１４】
2018015558.tif 000016
【図１５】
2018015558.tif 000017
【図１６】
2018015558.tif 000018
【図１７】
2018015558.tif 000019
【図１８】
2018015558.tif 000020
【図１９】
2018015558.tif 000021
【図２０】
2018015558.tif 000022
【図２１】
2018015558.tif 000023
【図２２】
2018015558.tif 000024
【図２３】
2018015558.tif 000025